(57)【要約】【課題】照明機能と空調空気の吹き出し機能の両方を有効に備えた照明装置を提供する。【解決手段】空調空気の吹き出し機能を兼ね備えた照明装置１であって、空調空気が供給される給気チャンバ２５の底面に、空調空気の吹き出し口３０が複数開口し、複数の吹き出し口３０には、光源３３と通気性のある反射部材３２を供える光源装置３１がそれぞれ設けられ、給気チャンバ２５の底面は、複数の吹き出し口３０の周囲において閉塞されている。【選択図】図２
2010027274.tif 000002
【特許請求の範囲】
【請求項１】
空調空気の吹き出し機能を兼ね備えた照明装置であって、
空調空気が供給される給気チャンバの底面に、空調空気の吹き出し口が複数開口し、
前記複数の吹き出し口には、光源と通気性のある反射部材を供える光源装置がそれぞれ設けられ、
前記給気チャンバの底面は、前記複数の吹き出し口の周囲において閉塞されている、照明装置。
【請求項２】
前記光源はＬＥＤである、請求項１に記載の照明装置。
【請求項３】
前記給気チャンバの底面を閉塞している閉塞部材は伸縮性を有し、
前記光源装置は、角度が可変である、請求項１または２に記載の照明装置。
【請求項４】
前記光源は、前記給気チャンバの底面よりも上方であって、前記給気チャンバの内部に設けられ、
前記給気チャンバの底面と前記光源との間に、前記反射部材が設けられている、請求項１〜３のいずれかに記載の照明装置。
【発明の詳細な説明】
【技術分野】
【０００１】
本発明は、空調空気の吹き出し機能を兼ね備えた照明装置に関する。
【背景技術】
【０００２】
例えば、医療設備に設けられた手術室などでは、手術台上を多方向から照射するいわゆる無影灯が利用されている。また一方、手術室などでは、天井面等から手術台に向けて下向きに清浄な空気を吐出し、壁面下部等に設けた排気口から排気することにより、手術台の周囲の清浄度を常に高い状態に維持している。
【０００３】
このように無影灯と清浄な空気の供給機能を兼ね備えたものとして、天井面に設けられた無影灯の支柱の周りに、ファンフィルタユニットに連結された層流ユニットを設けたものが知られている（例えば特許文献１参照）。また、無影灯の下面に光源装置とフィルタを装着し、光源装置の周りにおいてフィルタを通過させた清浄な空気を下向きに吐出させるようにしたものも知られている（例えば特許文献２参照）。
【０００４】
【特許文献１】特開２００４−２４５５６２号公報
【特許文献２】特開２００６−１４７４８２号公報
【発明の開示】
【発明が解決しようとする課題】
【０００５】
ところが、上記特許文献１のように、無影灯上方の天井面等から清浄な空気を吐出した場合、清浄な空気の流れに対して無影灯が障害物となる。その結果、手術台の周囲の清浄度を高く維持することが困難になってしまう。また、上記特許文献２では、フィルタの面積を多くするためには、光源装置の設置個数を少なくしなければならず、照明機能が阻害されてしまう。また一方で、十分な照明機能を確保するために光源装置の設置個数を増やすと、フィルタの面積が小さくなり、空調空気の吹き出し機能が阻害されてしまう。
【０００６】
本発明の目的は、照明機能と空調空気の吹き出し機能の両方を有効に備えた照明装置を提供することにある。より具体的には、照明により供給空気の流れを乱すことなく、術野等の目的空間により少ない照明器具の数で照度を維持する装置を提供することを目的とする。
【課題を解決するための手段】
【０００７】
かかる目的を達成するために、本発明によれば、空調空気の吹き出し機能を兼ね備えた照明装置であって、空調空気が供給される給気チャンバの底面に、空調空気の吹き出し口が複数開口し、前記複数の吹き出し口には、光源と通気性のある反射部材を供える光源装置がそれぞれ設けられ、前記給気チャンバの底面は、前記複数の吹き出し口の周囲において閉塞されている、照明装置が提供される。
【０００８】
この照明装置によれば、給気チャンバ内に供給された空調空気を、光源装置の反射部材を通じて吹き出すことができる。この照明装置において、前記光源は例えばＬＥＤである。また、前記給気チャンバの底面を閉塞している閉塞部材を伸縮性を有するものとし、前記光源装置の角度を可変としても良い。また、前記光源は、前記給気チャンバの底面よりも上方であって、前記給気チャンバの内部に設けられ、前記給気チャンバの底面と前記光源との間に、前記反射部材が設けられていても良い。
【発明の効果】
【０００９】
本発明によれば、光源装置の反射部材を通じて空調空気を吹き出すことができるので、光源装置の設置個数を増やしても、空調空気の吹き出し機能が阻害されない。このため、照明機能と空調空気の吹き出し機能の両方を有効に備えた照明装置が提供される。
【発明を実施するための最良の形態】
【００１０】
以下、本発明の実施の形態の一例を、図面を参照にして説明する。図１は、本発明の実施の形態にかかる照明装置１を備えた手術室２の説明図である。図２は、本発明の実施の形態にかかる照明装置１の内部構造を示す説明図である。図３は、照明装置１の底面図である。なお、本明細書及び図面において、実質的に同一の機能構成を有する構成要素については、同一の符号を付することにより重複説明を省略する。
【００１１】
手術室２の床面上には、手術台１０が設置されている。手術室２の天井面には、室全体に調和空気を供給する給気口１１が手術台10や後述するファンフィルタユニット２６や支持部材３５から平面的に距離をおいて開口しており、手術室２の側壁面には、排気口１２が開口している。手術室２の外部には、フィルタ１５、熱交換器１６、ファン１７を備える空調機１８が設けられている。この空調機１８の吸い込み側には、排気口１２から排気された室内空気ＲＡを戻す還気ダクト２０と、外気ＯＡを導入する外気ダクト２１が接続されている。また、空調機１８の吐き出し側１８ｂには、空調機１８で調整した空調空気ＳＡを給気口１１に送風する給気ダクト２２が接続されている。
【００１２】
手術室２の内部において、手術台１０の上方に照明装置１が配置されている。照明装置１は、手術室２の天井に取り付けられた支持部材としての多関節アーム２３で支持され、照明装置１の位置は、任意に移動させることができる。
【００１３】
図２に示すように、照明装置１は、直方体形状を有する給気チャンバ２５の上面にファンフィルタユニット２６を取り付けた構成になっている。ファンフィルタユニット２６は、ファン２７とフィルタ２８を内蔵しており、ファン２７の稼動によって手術室２の内部の空気を取り込み、フィルタ２８を介して、給気チャンバ２５の内部に手術室２内の空調空気が給気されている。
【００１４】
図２に示すように、照明装置１の給気チャンバ２５の底面には、空調空気の吹き出し口３０が複数個所に分布して開口している。なお、吹き出し口３０は、給気チャンバ２５の底面に開口している。各吹き出し口３０には、光源装置３１がそれぞれ設けられている。
【００１５】
光源装置３１は、略半球形状をした反射部材３２の中央上部に光源３３を取り付けた構成を有している。光源３３は、例えばＬＥＤであり、熱をほとんど発生させずに光を放射することができる。反射部材３２は、光源３３から放射された光を反射し、吹き出し口３０を通じて手術室２の内部に向けて下向きに光を照射させる。反射部材３２は、通気性を有しており、反射部材３２は、例えば、セラミックス、焼結金属等の通気性を有する母材に反射性物質を塗布した構成、ステンレス製の金網等からなる。反射部材３２は、素材そのものに通気性がある場合と、素材自身に通気性はないが、パンチングや網構造、空隙のある織り方をした構造など、構造的に通気性を有する構成を含む。光源３３は、給気チャンバ２５の底面よりも上方であって、給気チャンバ２５の内部に設けられ、給気チャンバ２５の底面と光源３３との間に、反射部材３２が設けられている。
【００１６】
光源装置３１は、フレキシブル継ぎ手等の支持部材３５を介して、照明装置１の給気チャンバ２５に取り付けられており、光源装置３１は、角度が可変になっている。給気チャンバ２５の底面は、各吹き出し口３０の周囲において、通気性のない閉塞部材３６によって閉塞されている。このため、ファン２７の稼動によって給気チャンバ２５内に供給された空調空気は、通気性を有する反射部材３２を通過して手術室２の内部に給気されるようになっている。給気チャンバ２５の底面において各吹き出し口３０の周囲を閉塞している閉塞部材３６は、例えばゴムシートなどの伸縮性を有する材料からなる。
【００１７】
以上のような手術室２において、空調機１８のファン１７の稼動により、外気ＯＡと手術室２内から排気された室内空気ＲＡが空調機１８に取り込まれ、フィルタ１５および熱交換器１６で調整された空調空気ＳＡが、給気ダクト２２を経て手術室２内に供給される。手術室２内では、照明装置１下面の各吹き出し口３０に設けられた複数の光源装置３１により、手術台１０上を多方向から照射することができる。また一方で、照明装置１に取り付けられたファンフィルタユニット２６のファン２７の稼動により、手術室２内の空調空気ＳＡが一旦給気チャンバ２５内に供給された後、通気性を有する反射部材３２を通過して、手術台１０上に下向きに給気される。こうして、手術台の周囲の清浄度が常に高い状態に維持される。
【００１８】
なお、給気チャンバ２５の底面において各吹き出し口３０の周囲を閉塞している閉塞部材３６は、例えばゴムシートなどの通気性のない材料からなっている。このため、ファン２７によって給気チャンバ２５内に供給された空調空気ＳＡは、反射部材３２の部分のみを通過して手術室２の内部に給気されることとなる。このように、空調空気ＳＡを反射部材３２の部分のみに通過させることにより、手術台１０上に向けて所望の流速で給気させることができる。
【００１９】
また、照明装置１は手術室２の天井に取り付けられた多関節アーム２３で支持されているので、手術台１０上を照射するのに好ましい位置に照明装置１を任意に移動させることができる。加えて、照明装置１に設けられた各光源装置３１は、フレキシブル継ぎ手等の支持部材３５で支持されて、角度が可変になっている。そのため、照明装置１のみならず、各光源装置３１の角度を調節することにより、手術台１０上を最適な状態で照射することが可能となる。なお、各光源装置３１の向きの調整は、吹出口３０に室内側から手を差し込むかまたは給気チャンバ２５に点検口を設けそこから行うことができる。
【００２０】
なお、給気チャンバ２５の底面において各吹き出し口３０の周囲はゴムシートなどの伸縮性を有する閉塞部材３６で閉塞されている。このため、図４に示すように、各光源装置３１の角度を調節した場合でも、各吹き出し口３０の間において閉塞部材３６が任意に変形することにより、各吹き出し口３０の周囲は閉塞された状態が維持される。その結果、空調空気ＳＡを反射部材３２の部分のみに通過させる状態が維持される。
【００２１】
以上、本発明の好ましい実施の形態の一例を説明したが、本発明は図示の形態に限定されない。当業者であれば、特許請求の範囲に記載された思想の範疇内において、各種の変更例または修正例に相到し得ることは明らかであり、それらについても当然に本発明の技術的範囲に属するものと了解される。
【００２２】
例えば、図５に示すように、照明装置１の給気チャンバ２５に給気ダクト２２を直接接続しても良い。この場合、ファンフィルタユニット２６は省略することができる。なお、このように給気チャンバ２５に給気ダクト２２を接続する場合は、照明装置１の移動を妨げないように、給気ダクト２２にはフレキシブルダクト等を使用するのが良い。
【００２３】
また、光源装置３１の光源３３は、ＬＥＤに限らず、任意の光源を用いることができる。なお、発熱量がなるべく少ない光源を用いることが望ましい。また、図３では、照明装置１の給気チャンバ２５の底面に設けられる吹き出し口３０が円形の例を示したが、吹き出し口３０の形状は任意であり、多角形であっても良い。例えば吹き出し口３０を四角形とすると、閉塞部材３６は格子状に構成され、均一な吹出しとなり、製作も容易になる。
【産業上の利用可能性】
【００２４】
本発明は、例えば医療設備で用いられる無影灯に適用できる。
【図面の簡単な説明】
【００２５】
【図１】本発明の実施の形態にかかる照明装置を備えた手術室の説明図である。
【図２】本発明の実施の形態にかかる照明装置１の内部構造を示す説明図である。
【図３】照明装置の底面図である。
【図４】各光源装置の角度を調節する場合の説明図である。
【図５】給気チャンバに給気ダクトを直接接続した実施の形態の説明図である。
【符号の説明】
【００２６】
１  照明装置
２  手術室
１０  手術台
１１  給気口
１２  排気口
１８  空調機
２０  還気ダクト
２１  外気ダクト
２２  給気ダクト
２３  多関節アーム
２５  給気チャンバ
２６  ファンフィルタユニット
３０  吹き出し口
３１  光源装置
３２  反射部材
３３  光源
３６  閉塞部材
【図１】
2010027274.tif 000003
【図２】
2010027274.tif 000004
【図３】
2010027274.tif 000005
【図４】
2010027274.tif 000006
【図５】
2010027274.tif 000007